(57)【要約】    【課題】  カウンターの収納状態において、手摺レール前面の段差を無くすことによりデザイン性を向上させることを可能とするオープンショーケースを提供する。    【解決手段】  オープンショーケース１０に備えられたカウンター１は、棚板２と支持ブラケット３とから構成され、棚板２は、支持部材４により、水平位置及び垂直位置に略９０度回動可能に支持されており、支持ブラケット３により、水平位置で保持可能としている。水平状態において棚板２の上面を手摺レール１７の上面と面一に支持するための構成として、支持部材４は、一端側を手摺レール１７内に軸支するとともに、手摺レール１７前面部の下方を通って前方に延長し、手摺レール１７前方位置において、棚板２を支持することとしている。【選択図】      図１
2006000240.tif 000002
【特許請求の範囲】
【請求項１】
商品陳列室前面下部の側壁上面に手摺レールを設けるとともに、当該手摺レール下部の前面パネルに設けられた凹部内に収納可能な棚板と、当該棚板を水平位置及び垂直位置に回動可能で、かつ、前記水平位置において前記手摺レール上面に対して前記棚板上面が略面一となるとともに、前記垂直位置において前記手摺レール前面に対して前記棚板上面が略面一となるように支持する支持部材と、前記棚板を水平方向に支持可能な支持ブラケットとから構成されるカウンターを備えたオープンショーケースであって、
前記支持部材は、一端側が前記手摺レール内に設けられた芯棒により軸止されるとともに、水平状態において、手摺レール前面部の下方を通るように延長して設けられ、他端側に前記棚板を所定高さに支持，固定する固定部を有することを特徴とするオープンショーケース。
【請求項２】
前記手摺レールは、底板手前側において前記支持部材が回動する部位に切欠凹部が形成されていることを特徴とする請求項１に記載のオープンショーケース。
【請求項３】
前記棚板は、商品陳列室側端部下面側に、前方に向かって傾斜する傾斜面を設けることを特徴とする請求項１又は２のいずれかに記載のオープンショーケース。
【請求項４】
前記商品陳列室の最下段に配置する陳列棚は、手前側又は奥側のいずれか一端側に立設するフェンス部を有し、当該陳列棚は、前記フェンス部の位置を手前側又は奥側に変更可能に支持することを特徴とする請求項１〜３のいずれかに記載のオープンショーケース。
【請求項５】
前記棚板は、先端側に手指の差入可能な切欠部を形成することを特徴とする請求項１〜４のいずれかに記載のオープンショーケース。
【発明の詳細な説明】
【技術分野】
【０００１】
本発明は、商品陳列室の前面又は側面パネルの手前側に折畳み可能なカウンターを備えるオープンショーケースに関し、特に、カウンターの支持構造に関する。
【背景技術】
【０００２】
従来より、スーパーマーケット等の店舗において冷蔵食品や生鮮食品等の陳列に用いられるオープンショーケースとして、ショーケース本体の側壁外周面に商品載置用のカウンターを設けたものが使用されている。
この種のオープンショーケースとして、従来、商品陳列室下部前面に設けられた手摺レールの下部において、外装を形成するパネルの手前側に蝶番により水平方向及び垂直方向に略９０度回動可能に支持された棚板と、棚板を水平状態で支持する支持ブラケットとを備えた構成が公知となっている（例えば、特許文献１参照。）。
【特許文献１】特開平１１−３４６８７８号公報
【０００３】
前記特許文献１に記載されたオープンショーケースでは、カウンターを構成する棚板を水平状態で支持した際に、オープンショーケース手前側の手摺レール上面と、棚板上面とが略面一となるように、棚板の支持部材の支点を位置決めしていた。
【発明の開示】
【発明が解決しようとする課題】
【０００４】
しかし、前記特許文献１に記載された構成では、手摺レールの前面側において、支持部材が回動する範囲に亘って切欠部を形成することが必要となるため、カウンターを収納した場合に、オープンショーケースのデザイン性を損なうものとなっていた。
この点について、前記特許文献１では、支持部材に前記切欠き部を塞ぐカバーを設けているが、当該カバーは、手摺レールの内周面を摺動する構成のため、切欠部を設けた部位に段差が生じることなるため、結局デザイン性を損なうものとなっていた。
特に、カウンターの収納状態において、手摺レール前面と、棚板上面とが略面一となるように構成した場合には、切欠部により生じた段差が目立つものとなっていた。
【０００５】
本発明は、前記課題を解決するためのものであり、カウンターの水平状態（使用状態），垂直状態（収納状態）のそれぞれにおいて、手摺レール上面又は前面と棚板上面とを略面一となるように支持可能にしたオープンショーケースであって、カウンターの収納状態において、手摺レール前面の段差を無くすことによりデザイン性を向上させることを可能とするオープンショーケースを提供することを目的とする。
【課題を解決するための手段】
【０００６】
上記の課題を解決するため本発明は、商品陳列室前面下部の側壁上面に手摺レールを設けるとともに、当該手摺レール下部の前面パネルに設けられた凹部内に収納可能な棚板と、当該棚板を水平位置及び垂直位置に回動可能で、かつ、前記水平位置において前記手摺レール上面に対して前記棚板上面が略面一となるとともに、前記垂直位置において前記手摺レール前面に対して前記棚板上面が略面一となるように支持する支持部材と、前記棚板を水平方向に支持可能な支持ブラケットとから構成されるカウンターを備えたオープンショーケースであって、前記支持部材は、一端側が前記手摺レール内に設けられた芯棒により軸止されるとともに、水平状態において、手摺レール前面部の下方を通るように延長して設けられ、他端側に前記棚板を所定高さに支持，固定する固定部を有することを特徴とする。
また、前記手摺レールは、底板手前側において前記支持部材が回動する部位に切欠凹部が形成されていることを特徴とする。
また、前記棚板は、商品陳列室側端部下面側に、前方に向かって傾斜する傾斜面を設けることを特徴とする。
また、前記商品陳列室の最下段に配置する陳列棚は、手前側又は奥側のいずれか一端側に立設するフェンス部を有し、当該陳列棚は、前記フェンス部の位置を手前側又は奥側に変更可能に支持することを特徴とする。
また、前記棚板は、先端側に手指の差入可能な切欠部を形成することを特徴とする。
【発明の効果】
【０００７】
以上の構成により、本発明のオープンショーケースによれば、次のような効果を奏する。
（１）手摺レールの前面部下方を通って延長する支持部材により、カウンターを構成する棚板を支持することとしたので、手摺レール前面部に切欠部等を形成する必要が無くなる。従って、カウンターの収納状態において手摺レール前面と棚板上面とを略面一に支持した場合であっても、手摺レールに段差を生じさせることが無くなりデザイン性を向上させることが可能となる。
（２）また、手摺レール底板手前側において、支持部材が回動する部位に切欠凹部を形成したので、オープンショーケースのデザイン性を損なうことなく、支持部材の回動動作をスムーズなものとすることができる。
（３）また、棚板の後端部に傾斜面を形成することにより、棚板の回動動作をスムーズなものとすることができる。
（４）また、最下段の商品陳列棚の一端側にフェンス部を設け、商品陳列棚の上面を手摺レール上面と略面一に支持可能とするとともに、商品陳列棚の向きを変えることにより、フェンス部の位置を手前側と奥側に変更可能としたので、カウンターの使用状態等に応じたフェンス部の位置の変更が可能となる。従って、商品陳列棚からカウンターの棚板までの全体を商品陳列面として利用することが可能となる。
（５）また、カウンターを構成する棚板の先端側に手指の差入可能な切欠部を形成することとしたので、棚板の操作をスムーズに行うことが可能となる。
【発明を実施するための最良の形態】
【０００８】
以下、本発明の一実施の形態について、図面に基づき説明する。
図１は本発明の一実施の形態に係るオープンショーケースを示す側断面図、図２は本実施の形態におけるカウンターの要部拡大断面図、図３は本実施の形態に係るオープンショーケースの手摺レールに対するカウンターの支持構造を下方から見た要部拡大斜視図と手摺レールを示す要部拡大斜視図、図４は支持部材を示す要部拡大斜視図と本実施の形態に係るオープンショーケースの手摺レールに対するカウンターの支持構造を上方から見た要部拡大斜視図、図５は本実施の形態に係るショーケースのカウンター収納状態を示す斜視図、図６は本実施の形態に係るオープンショーケースのカウンター使用状態を示す斜視図である。なお、図４では、支持部材４に固定される棚板の図示を省略している。
各図に示すように、本実施の形態に係るオープンショーケース１０は、断熱材により構成されたケーシング１１が一体形成されており、ケーシング１１内部には、側面視略コ字状の商品陳列室１０ａを構成する内部パネル１２を有し、ケーシング１１と、内部パネル１２との間には、ダクト１３が設けられている。オープンショーケース１０の上側前端部にはダクト１３内を循環する冷気の吹出口１４が設けられ、下側前端部には商品陳列室１０ａ前面に吹出された冷気の吸込口１５が設けられている。ダクト１３内には、循環ファン及び冷却器（図示は省略）が備えられており、循環ファンにより循環され、冷却器により冷却された冷気が吹出口１４から商品陳列室１０ａ前面に吹出され、吸込口１５に吸込まれることにより、冷気エアカーテンが形成され商品陳列室１０ａ内の商品が保冷される。
商品陳列室１０ａ内には、複数の陳列棚１６が取り付けられている。
本実施の形態に係るオープンショーケース１０は、手摺レール１７の手前側において水平状態に支持されるカウンター１が備えられており、カウンター１は前面パネル１８に形成された凹部１８ａ内に収納可能となっている。また、最下段の商品陳列棚１６Ａは、商品陳列室１０ａの前面下部に備えられた手摺レール１７に対し、略面一となるように受け部材１９上に載置，支持されている。手摺レール１７は、上面部が水平面に形成されるとともに、前面部が垂直面に形成されており、カウンター１を水平状態，垂直状態のそれぞれに支持したときに、カウンター１の上面に対し、上面部又は前面部が面一となるように構成されている。なお、手摺レール１７上面と、冷気の吸込口１５上面も略面一となるように構成されている。
【０００９】
カウンター１は、各図に示すように、棚板２と支持ブラケット３とから構成されている。
棚板２は、複数の支持部材４により、水平位置及び垂直位置に略９０度回動可能に支持されており、支持ブラケット３により、水平位置で保持可能としている。
図２，図３に示すように、棚板２裏面には、後端面下端が前方に傾斜する傾斜面を設けた逆台形状の支持部材固定部２ａと、棚板２の前端近傍において下方向に突出し、下面が支持ブラケット３により支持される凸部２ｂとが設けられている。さらに、棚板２の先端側には、棚板を持上げる際に手等を差入れるための切欠部２ｃが形成されている。
本実施の形態では、水平状態において棚板２の上面を手摺レール１７の上面と面一に支持するための構成として、支持部材４の一端側を手摺レール内に軸止するとともに、水平状態において、手摺レール前面部の下方を通って前方に延長し、手摺レール１７より前方位置で、棚板２の上面が手摺レール１７の上面と面一となるような所定高さに支持，固定可能なように支持部材４を形成している。
本実施の形態に係る支持部材４は、図３（ａ）及び図４（ａ），（ｂ）に示すように、薄板状の部材を側面視略コ字状に形成したものであり、コ字状の一端側４ａが手摺レール１７内に固定された芯棒５に軸止されている。コ字状の凹部４ｂは、水平状態において手摺レール１７の前面部の下方に位置するように形成されている。コ字状の他端側４ｃには、上端部が横方向に略９０度折曲された固定部４ｄが形成されており、固定部４ｄの上面に対し棚板２の後端側に設けられた支持部材固定部２ａがビス等で固定されることにより、水平状態において棚板２の上面が手摺レール１７の上面と面一となる所定高さに支持，固定される。なお、水平状態において手摺レール１７の上面前端と棚板２の上面後端とが略当接するように、棚板２の固定位置等が設定されている。また、手摺レール１７の底板手前側には、支持部材４に対応して、支持部材４が回動する部位に所定幅の切欠凹部１７ａが設けられている。
支持ブラケット３は、図３（ａ）に示すように、正面視略逆さＬ字状の平板で形成されており、蝶番により収納位置と棚板支持位置との間を略９０度回動可能に支持されている。支持ブラケット３の上端面には、棚板２の水平状態において凸部２ｄ下面が載置，支持される。
商品陳列室１０ａ内に支持される最下段の陳列棚１６Ａは、受け部材１９上に載置，支持されており、手前側又は奥側のいずれか一方の端部に立設するフェンス部１６ａを備え、陳列棚１６Ａの向きを変えることにより、フェンス部１６ａの位置を手前側と奥側とに変更可能に構成している。
【００１０】
以上のように構成されたオープンショーケース１０におけるカウンター１の使用方法について、以下に説明する。
カウンター１を使用しない場合には、図５に示すように、オープンショーケース１０の前面パネル１８に設けられた凹部１８ａ内において棚板２及び支持ブラケット３が収納されることにより、手摺レール１７の前面に対して棚板２の上面が面一となっている。この場合、最下段の陳列棚１６Ａは、フェンス部１６ａが手前側に位置するように、受け部材１９上に載置，支持させ、陳列棚１６Ａ上に陳列された商品が吸込口１５を塞ぐことの無いよう、商品陳列スペースを仕切ることとする。これにより、冷気エアカーテンの適切な形成を確保する。
一方、カウンター１を使用する場合には、棚板２の先端側に設けられた切欠部２ｃより手を差入れて、棚板２を持上げ、水平位置に回動させるとともに、支持ブラケット３を棚板支持位置まで回動させて、支持ブラケット３の上端面に、棚板２裏面の凸部２ａ下面を載置させることにより、棚板２を水平状態で保持する。この場合、図３（ａ），図４（ｂ）に示すように、支持部材４の一端側４ａが手摺レール１７の切欠凹部１７ａに差込まれた状態となる。
なお、最下段の商品陳列棚１６Ａは、フェンス部１６ａが奥側に位置するように、商品陳列棚１６Ａの向きを変えて、受け部材１９上に載置，支持させる。これにより、図５に示すように、棚板２の水平状態において、商品陳列棚１６Ａ上面及び手摺りレール１７上面と、棚板２の上面とが面一となった状態で保持され、商品陳列スペースが最大限に確保されるとともに、陳列スペース全体に商品を平積みする等の種々の陳列形態が可能となる。なお、吸込口１５上に商品が載置されることにより、冷気エアカーテンの適切な形成が多少阻害されることとなるが、カウンター１は、主にタイムサービス等の一時的な販売形態に利用されるものであるため、必ずしも適切な冷気エアカーテンの形成を必要とするものではなく、また、冷気のオーバーフローにより、カウンター１上に陳列された商品についてもある程度の冷却を行うことが可能となる。また、カウンター１の使用時には、一時的に冷凍機等の運転を停止することとして、オープンショーケース１０を非冷状態で使用することとしてもよい。
【００１１】
以上のように、本実施の形態に係るオープンショーケース１０では、支持部材４により、棚板２の上面を手摺レール１７の上面と面一となるように支持可能としたので、最下段の商品陳列棚１６Ａから棚板までを一面の商品陳列部として使用することが可能となる。従って、陳列スペースを有効に利用することが可能となり、特に、タイムサービス等の催事的な販売を行う場合、陳列スペース全体に対して、段差を考慮することなく、平積み等、陳列商品に合わせた陳列を行うことが可能となる。
ここで、支持部材４として、一端側４ａを手摺レール１７内に軸支するとともに、手摺レール１７前面下方を通って前方に延長し、他端側４ｃに棚板２を固定することとしたので、手摺レール前面に切欠等を形成することなく、水平状態（使用位置），垂直状態（収納位置）のそれぞれにおいて、棚板２上面を手摺レール１７の上面又は前面に対して略面一となるように支持することが可能となる。従って、収納状態においても手摺レール１７の前面部に段差を生じさせないため、外観上のデザイン性を損なうことが無くなる。
また、手摺レール底板手前側において、支持部材が回動する部位に切欠凹部を形成したので、オープンショーケースのデザイン性を損なうことなく、支持部材の回動動作をスムーズなものとすることができる。
また、棚板２の後端部に傾斜面を形成することにより、棚板２の回動動作をスムーズに行うことが可能となる。
また、最下段の商品陳列棚１６Ａ上面を手摺レール１７上面と略面一に支持可能とするとともに、商品陳列棚１６Ａの一端側にフェンス部１６ａを設け、商品陳列棚１６Ａの向きを変えることにより、フェンス部１６ａの位置を手前側と奥側に変更可能としたので、カウンター１の使用状態等に応じたフェンス部１６ａの位置の変更が可能となる。従って、商品陳列棚１６Ａから棚板２までの全体を商品陳列スペースとして有効に利用することが可能となる。
また、カウンター１を構成する棚板２の先端側に手指の差入可能な切欠部２ｃを形成することとしたので、棚板２の操作をスムーズに行うことが可能となる。この場合、切欠部２ｃとして、棚板２の先端側の両側端角部を切落とした形状とすることにより、カウンター１の使用時における安全性を向上させることができる。
【００１２】
なお、本発明は、前期実施の形態に限定されるものではなく、特許請求の範囲に記載された本発明の要旨の範囲内で、種々の変更を行うことが可能であり、異なる形状のオープンショーケースについても適用可能である。
また、手摺レールの底板に設ける切欠凹部の形状等についても、前方から視認不可能で、かつ、支持部材の回動動作をスムーズなものとすることが可能であれば、幅，形状等を変更してもよい。
また、カウンターを使用する場合に、最下段の商品陳列棚のフェンス部を奥側に配置することは必須ではなく、例えば、商品陳列室内に陳列された商品に関連する調味料等をカウンター上に陳列する場合には、フェンス部を手前側に配置して冷気エアカーテンの形成を確保することとしてもよい。
また、棚板には手指の差入可能な切欠部を形成することとしているが、この構成に限らず、棚板先端又は両側端と前面パネルの凹部周壁との間に、手指等の差入可能な隙間を形成することとしてもよい。
【図面の簡単な説明】
【００１３】
【図１】本発明の一実施の形態に係るカウンターを備えたオープンショーケースの一例を示す斜視図である。
【図２】本実施の形態におけるカウンターの支持構造の一例を示す要部拡大断面図である。
【図３】本実施の形態におけるカウンタ−の支持構造の一例を示す要部拡大斜視図である。
【図４】本実施の形態に係るカウンターの支持構造の一例を示す要部拡大斜視図である。
【図５】本実施の形態に係るオープンショーケースにおけるカウンターの収納状態を示す斜視図である。
【図６】本実施の形態に係るオープンショーケースにおけるカウンターの使用状態を示す斜視図である。
【符号の説明】
【００１４】
１    カウンター
２    棚板
２ａ  支持部材固定部
２ｂ  凸部
２ｃ  切欠部
３    支持ブラケット
４    支持部材
４ｂ  凹部
４ｄ  固定部
５    芯棒
１０    オープンショーケース
１１    ケーシング
１２    内部パネル
１３    ダクト
１４    吹出口
１５    吸込口
１６    商品陳列棚
１６Ａ  商品陳列棚（最下段）
１６ａ  フェンス部
１７    手摺レール
１７ａ  切欠凹部
１８    前面パネル
１８ａ  凹部
１９    受け部材
【図１】
2006000240.tif 000003
【図２】
2006000240.tif 000004
【図３】
2006000240.tif 000005
【図４】
2006000240.tif 000006
【図５】
2006000240.tif 000007
【図６】
2006000240.tif 000008